(57)【要約】【課題】  レンズ鏡筒の内面での反射が抑制され、画質の劣化を防止するレンズ鏡筒を提供する。【解決手段】  レンズ鏡筒において、ズームレンズ系は、最も物体側に位置する第１レンズ群と、物体側から２番目に配置され、かつ第１レンズ群とパワーの異なる第２レンズ群と、物体側から３番目に配置される第３レンズ群とを含み、第１レンズ群から像側の位置に対応する範囲のレンズ鏡筒の内面に、所定の形状を有する構造単位が入射光の最短波長よりも小さいピッチで周期的にアレイ状に配列された反射防止構造体を備える。【選択図】  図１
2006293093.tif 000002
【特許請求の範囲】
【請求項１】
複数のレンズ群を光軸方向に移動させることによりズーミングを行うズームレンズ系を備えるレンズ鏡筒であって、
前記ズームレンズ系は、最も物体側に位置する第１レンズ群と、物体側から２番目に配置され、かつ前記第１レンズ群とパワーの異なる第２レンズ群と、物体側から３番目に配置される第３レンズ群とを含み、
前記第１レンズ群から像側の位置に対応する範囲のレンズ鏡筒の内面に、所定の形状を有する構造単位が入射光の最短波長よりも小さいピッチで周期的にアレイ状に配列された反射防止構造体を備えることを特徴とする、レンズ鏡筒。
【請求項２】
前記ズームレンズ系は、
物体側から順に、負のパワーを有する第１レンズ群と、正のパワーを有する第２レンズ群と、正のパワーを有する第３レンズ群とを含み、
前記第２レンズ群に対応する範囲のレンズ鏡筒の内面に、前記反射防止構造体を備えることを特徴とする、請求項１に記載のレンズ鏡筒。
【請求項３】
前記ズームレンズ系は、
物体側から順に、正のパワーを有する第１レンズ群と、負のパワーを有する第２レンズ群と、正のパワーを有する第３レンズ群と、後続する後続レンズ群とを含み、
前記第３レンズ群に対応する範囲のレンズ鏡筒の内面に、前記反射防止構造体を備えることを特徴とする、請求項１に記載のレンズ鏡筒。
【請求項４】
前記ズームレンズ系は、
物体側から順に、負のパワーを有する第１レンズ群と、正のパワーを有する第２レンズ群と、正のパワーを有する第３レンズ群とを含み、
広角端において、前記第１レンズ群と前記第２レンズ群との間隔に対応する範囲のレンズ鏡筒の内面に、前記反射防止構造体を備えることを特徴とする、請求項１に記載のレンズ鏡筒。
【請求項５】
前記ズームレンズ系は、
物体側から順に、正のパワーを有する第１レンズ群と、負のパワーを有する第２レンズ群と、正のパワーを有する第３レンズ群と、後続する後続レンズ群とを含み、
広角端において前記第１レンズ群と前記第３レンズ群との間隔に対応する範囲のレンズ鏡筒の内面に、前記反射防止構造体を備えることを特徴とする、請求項１に記載のレンズ鏡筒。
【請求項６】
被写体の光学的な像を電気的な画像信号に変換可能な撮像装置であって、
前記被写体の光学的な像を形成する撮影光学系を含むレンズ鏡筒と、
前記撮影光学系により形成された光学的な像を電気的な画像信号に変換する撮像素子とを備え、
前記撮影光学系は、
複数のレンズ群を光軸方向に移動させることによりズーミングを行うズームレンズ系であって、
前記ズームレンズ系は、最も物体側に位置する第１レンズ群と、物体側から２番目に配置され、かつ前記第１レンズ群とパワーの異なる第２レンズ群と、物体側から３番目に配置される第３レンズ群とを含み、
前記第１レンズ群から像側の位置に対応する範囲のレンズ鏡筒の内面に、所定の形状を有する構造単位が入射光の最短波長よりも小さいピッチで周期的にアレイ状に配列された反射防止構造体を備えることを特徴とする、撮像装置。
【請求項７】
被写体の光学的な像を電気的な画像信号に変換し、当該画像信号を出力可能なカメラであって、
前記被写体の光学的な像を形成する撮影光学系を含むレンズ鏡筒と、
前記撮影光学系により形成された光学的な像を電気的な画像信号に変換する撮像素子と、
前記撮像素子により出力される画像信号を記録する画像記録手段と、
前記画像信号に基づいて、撮影画像を表示する画像表示手段とを備え、
前記撮影光学系は、
複数のレンズ群を光軸方向に移動させることによりズーミングを行うズームレンズ系であって、
前記ズームレンズ系は、最も物体側に位置する第１レンズ群と、物体側から２番目に配置され、かつ前記第１レンズ群とパワーの異なる第２レンズ群と、物体側から３番目に配置される第３レンズ群とを含み、
前記第１レンズ群から像側の位置に対応する範囲のレンズ鏡筒の内面に、所定の形状を有する構造単位が入射光の最短波長よりも小さいピッチで周期的にアレイ状に配列された反射防止構造体を備えることを特徴とする、カメラ。
【請求項８】
前記被写体の静止画像を取得可能であることを特徴とする、請求項７に記載のデジタルスチルカメラ。
【請求項９】
前記被写体の動画像を取得可能であることを特徴とする、請求項７に記載のデジタルビデオカメラ。
【発明の詳細な説明】
【技術分野】
【０００１】
本発明は、レンズ鏡筒およびレンズ鏡筒を備える撮像装置ならびにカメラに関し、特定的には反射防止構造体を備えたレンズ鏡筒およびレンズ鏡筒を備えた撮像装置ならびにカメラに関する。
【背景技術】
【０００２】
近年、被写体の光学的な像を電気的な画像信号に変換して出力可能なデジタルスチルカメラやデジタルビデオカメラ（以下、単にデジタルカメラという）が、急速に普及している。そして、高倍率ズームや高解像度のデジタルカメラが要望される一方、さらにコンパクトなデジタルカメラが要望されている。それに対して、レンズ鏡筒や、デジタルカメラに搭載される種々の光学部品を小型化することにより、さらにコンパクトなデジタルカメラの提供を可能としている。
【０００３】
しかしながら、小型化された鏡筒や光学部品を備えるコンパクトカメラにおいて、レンズに入射する光は、鏡筒や構成部品で反射され、反射された光が、結像に関与しない不要光として撮像面に到達することがある。そのため、このような不要光は、フレアやゴーストを生じさせ、画質に悪影響を及ぼしている。
【０００４】
これに対して、レンズ面に反射防止膜を形成する技術が知られている。この技術は、多層の反射防止膜をレンズ面に蒸着させることにより、入射光の反射率を低減させるものである。しかしながら、反射防止膜による反射率低減効果は、入射角依存性を有しており、レンズ面の光軸付近の領域と、入射高さの大きなレンズ周辺領域とでは、反射防止の効果に差が生じる。このため、レンズ周辺領域における反射光は、反射率の抑制が不十分となるため、フレアやゴーストなどの画質劣化の要因となるという問題があった。
【０００５】
一方、レンズ鏡筒の内周面に、段差や反射する角度を考慮した傾斜ならびに梨地加工することにより、不要光が撮像面に到達することを防止する技術が知られている。しかしながら、入射光は、鏡筒内の部品により、複雑な方向へ反射されるため、反射を十分に低減させることが困難であった。
【０００６】
これに対して、基材表面に黒色塗料や、つや消し塗料が塗布された光吸収部材が提案されている（特許文献１）。特許文献１は、黒色塗料が塗布された光吸収部材をレンズ鏡筒の内周面に設けることにより、傾斜や梨地が形成されただけのレンズ鏡筒と比較して、入射光の鏡筒内面での反射を抑制することができるとしている。
【特許文献１】特開２００３−２６６５８０号公報
【発明の開示】
【発明が解決しようとする課題】
【０００７】
図９は、特許文献１に記載された光吸収部材を備えたレンズ鏡筒の一例である。レンズ鏡筒５００は、第２レンズ群を保持する移動筒５１０の内周面に、黒色塗料が塗布された光吸収部材が設けられている。しかしながら、レンズ鏡筒５００に入射する被写体像の形成に寄与しない軸外光は、光吸収部材において完全には吸収されず、塗装面と空気との界面で反射される。反射された光は、鏡筒内で迷光となり、撮像素子５２０に到達する。そのため、鏡筒内で反射された不要光は、フレアやゴーストなどを発生させ、画像品質を低下させるという問題があった。また、黒色塗料を塗布する方法は、円筒形状を有する鏡筒内面に塗布する必要があるため、コスト高となる問題があった。
【０００８】
そこで、本発明の目的は、画質劣化の原因となる不要光の反射を防止し、画質の劣化が抑制されたレンズ鏡筒およびレンズ鏡筒を備えたカメラを提供することにある。
【課題を解決するための手段】
【０００９】
本発明は、以下の構成を備えたレンズ鏡筒によって達成される。
複数のレンズ群を光軸方向に移動させることによりズーミングを行うズームレンズ系を備えるレンズ鏡筒であって、
ズームレンズ系は、最も物体側に位置する第１レンズ群と、物体側から２番目に配置され、かつ第１レンズ群とパワーの異なる第２レンズ群と、物体側から３番目に配置される第３レンズ群とを含み、
第１レンズ群から像側の位置に対応する範囲のレンズ鏡筒の内面に、所定の形状を有する構造単位が入射光の最短波長よりも小さいピッチで周期的にアレイ状に配列された反射防止構造体を備える。
【００１０】
この構成により、レンズ鏡筒の内面に形成された反射防止構造体は、レンズ群に入射する軸外光がレンズ鏡筒内で反射することを防止する。したがって、不要光による画質の劣化が抑制されたレンズ鏡筒を提供することができる。
【００１１】
好ましくは、ズームレンズ系は、
物体側から順に、負のパワーを有する第１レンズ群と、正のパワーを有する第２レンズ群と、正のパワーを有する第３レンズ群とを含み、
第２レンズ群に対応する範囲のレンズ鏡筒の内面に、反射防止構造体を備える。
【００１２】
好ましくは、ズームレンズ系は、
物体側から順に、正のパワーを有する第１レンズ群と、負のパワーを有する第２レンズ群と、正のパワーを有する第３レンズ群と、後続する後続レンズ群とを含み、
第３レンズ群に対応する範囲のレンズ鏡筒の内面に、反射防止構造体を備える。
【００１３】
この構成により、反射防止構造体は、例えば、絞りに隣接して配置され、光束が絞り込まれて集中するレンズ群に対応する範囲の鏡筒内周面に入射する軸外光の反射を防止することができるので、不要光による画質の劣化が抑制されたレンズ鏡筒を提供することができる。
【００１４】
好ましくは、ズームレンズ系は、
物体側から順に、負のパワーを有する第１レンズ群と、正のパワーを有する第２レンズ群と、正のパワーを有する第３レンズ群とを含み、
広角端において、第１レンズ群と第２レンズ群との間隔に対応する範囲のレンズ鏡筒の内面に、反射防止構造体を備える。
【００１５】
好ましくは、ズームレンズ系は、
物体側から順に、正のパワーを有する第１レンズ群と、負のパワーを有する第２レンズ群と、正のパワーを有する第３レンズ群と、後続する後続レンズ群とを含み、
広角端において第１レンズ群と前記第３レンズ群との間隔に対応する範囲のレンズ鏡筒の内面に、反射防止構造体を備える。
【００１６】
この構成により、反射防止構造体は、広角端において、第１レンズ群と第２レンズ群との有効径の差が大きいために、レンズ鏡筒の内面に入射する軸外光の反射を防止することができる。したがって、不要光による画質の劣化が抑制されたレンズ鏡筒を提供することができる。
【００１７】
本発明の目的は、以下の構成を備えた撮像装置によって達成される。
被写体の光学的な像を電気的な画像信号に変換可能な撮像装置であって、
被写体の光学的な像を形成する撮影光学系を含むレンズ鏡筒と、
撮影光学系により形成された光学的な像を電気的な画像信号に変換する撮像素子とを備え、
撮影光学系は、
複数のレンズ群を光軸方向に移動させることによりズーミングを行うズームレンズ系であって、
ズームレンズ系は、最も物体側に位置する第１レンズ群と、物体側から２番目に配置され、かつ第１レンズ群とパワーの異なる第２レンズ群と、物体側から３番目に配置される第３レンズ群とを含み、
第１レンズ群から像側の位置に対応する範囲のレンズ鏡筒の内面に、所定の形状を有する構造単位が入射光の最短波長よりも小さいピッチで周期的にアレイ状に配列された反射防止構造体を備える。
【００１８】
この構成により、撮像装置は、レンズ鏡筒内面に反射防止構造体を備えているので、入射する軸外光の反射を防止することができ、画質の劣化が抑制された撮像装置を提供することができる。
【００１９】
本発明の目的は、以下の構成を備えたカメラによって達成される。
被写体の光学的な像を電気的な画像信号に変換し、画像信号を出力可能なカメラであって、
被写体の光学的な像を形成する撮影光学系を含むレンズ鏡筒と、
撮影光学系により形成された光学的な像を電気的な画像信号に変換する撮像素子と、
撮像素子により出力される画像信号を記録する画像記録手段と、
画像信号に基づいて、撮影画像を表示する画像表示手段とを備え、
撮影光学系は、
複数のレンズ群を光軸方向に移動させることによりズーミングを行うズームレンズ系であって、
ズームレンズ系は、最も物体側に位置する第１レンズ群と、物体側から２番目に配置され、かつ第１レンズ群とパワーの異なる第２レンズ群と、物体側から３番目に配置される第３レンズ群とを含み、
第１レンズ群から像側の位置に対応する範囲のレンズ鏡筒の内面に、所定の形状を有する構造単位が入射光の最短波長よりも小さいピッチで周期的にアレイ状に配列された反射防止構造体を備える。
【００２０】
具体的には、被写体の静止画像を取得可能なデジタルスチルカメラである。
【００２１】
具体的には、被写体の動画像を取得可能なデジタルビデオカメラである。
【００２２】
この構成により、カメラは、入射する軸外光をレンズ鏡筒の内面で反射することを防止する反射防止構造体を備えるので、解像度の高い動画像の画質の劣化を抑制することができる。
【発明の効果】
【００２３】
本発明によれば、画質劣化の原因となる不要光の反射を防止し、画質の劣化が抑制されたレンズ鏡筒およびレンズ鏡筒を備えたカメラを提供することができる。
【発明を実施するための最良の形態】
【００２４】
（実施の形態１）
図１は、本発明の実施の形態１に係るレンズ鏡筒に含まれるズームレンズ系の配置を示す図である。実施の形態１に係るズームレンズ系は、物体側から順に、負のパワーを有する第１レンズ群Ｇ１と、絞りＡと、正のパワーを有する第２レンズ群Ｇ２と、正のパワーを有する第３レンズ群Ｇ３とを中心に構成される。本実施の形態に係るレンズ鏡筒は、光軸に沿って各レンズ群を移動させ、相対的な距離を変化させることにより、変倍を行う。
【００２５】
第１レンズ群Ｇ１は、物体側より順に、物体側に凸の負のメニスカスレンズＬ１１と、物体側に凸の正のメニスカスレンズＬ１２とからなる。第２レンズ群Ｇ２は、物体側より順に、物体側に凸の正のメニスカスレンズＬ２１と、両凸の正レンズＬ２２と両凹の負レンズＬ２３と像側に凸の負レンズＬ２４との接合レンズとからなる。第２レンズ群Ｇ２中、メニスカスレンズＬ２１と、接合レンズとは空気間隔を介して配置される。第３レンズ群Ｇ３は、両凸の正レンズＬ３１からなる。
【００２６】
図２は、本実施の形態に係るレンズ鏡筒の第２レンズ群Ｇ２の概略拡大図である。上述のように、第２レンズ群Ｇ２中、正レンズＬ２１と接合レンズとは、空気間隔を介して配置される。そのため、被写体像の形成に寄与しない軸外光は、第１レンズ群に入射した後、第２レンズ群に空気間隔に対応する範囲の鏡筒内周面に到達する。そして、軸外光が鏡筒内周面に到達し反射された場合、反射光は、迷光となって撮像面Ｓに達し、フレアやゴーストを発生させる。そこで、図１および２に示すように、本実施の形態に係るレンズ鏡筒は、第２レンズ群に空気間隔に対応する範囲の鏡筒内周面に反射防止構造体１を設けている。
【００２７】
ここで反射防止構造体とは、所定の形状を有する構造単位が、入射光の波長の下限値よりも小さいピッチ、すなわち入射光の最短波長よりも小さいピッチで周期的にアレイ状に配列されたものである。このように所定の形状を有する構造単位を周期的にアレイ状に配列させることによって、入射光に対して、見かけ上屈折率を連続的に変化させ、空気層との界面での透過／反射特性の入射角依存性及び波長依存性が少ない反射防止機能面を形成させることができる。
【００２８】
また、反射防止構造体とは、反射を低減すべき光の反射を防止するために、表面に微細構造が形成された部材を意味し、反射を低減すべき光を完全に反射させない態様だけではなく、所定波長の反射を低減すべき光の反射を防止する効果を有する態様も含むものである。本実施形態に用いることができる反射防止構造体としては、例えば図３の概略拡大図に示すような、高さＨの円錐形状の突起を構造単位とし、これら円錐形状の突起がピッチＰで周期的にアレイ状に配列された構造体があげられる。
【００２９】
なおピッチとは、反射防止構造体が多数の微細構造単位の二次元的な配列により構成されている場合には、最も密な配列方向におけるピッチを意味する。
【００３０】
構造単位のピッチＰは、反射防止構造体中、一配列方向において実質上略一定であり、入射光の最短波長よりも小さければよいが、界面での透過／反射特性の入射角依存性及び波長依存性をより一層低減させることができるという点から、かかるピッチＰは０．１μｍから１μｍ程度であることが好ましく、より好ましくは、０．１５μｍから０．５μｍ程度である。
【００３１】
また、構造単位の高さＨには特に限定がなく、反射防止構造体中、全ての構造単位の高さＨが必ずしも一定でなくてもよいが、かかる高さＨが高いほど、入射光に対する反射防止機能が向上するという利点がある。したがって高さＨは、ピッチＰの１０倍程度が好ましく、より好ましくは２倍から３倍程度である。
【００３２】
このような反射防止構造体は、レンズ鏡筒と一体成形されてもよいし、反射防止構造体を有する光吸収部材を鏡筒内周面に設置してもよい。例えば、光吸収部材として、反射防止構造体を有するシートは、以下のようにして製造することができる。すなわち、まず、反射防止構造体と同一の形状に精密加工されたマスター型を用いて、加熱軟化したガラスをプレス成形することにより、ガラスからなる反射防止構造体成形用金型を作製する。さらに、この成形用金型を用いて、樹脂をプレス成形することにより、反射防止構造体を有するシートを製造することができる。一方、反射防止構造体とレンズ鏡筒とを一体成形する場合には、例えば以下のようにして製造することができる。すなわち、反射防止構造体１と同一形状に精密加工された高精度のマスター型あるいは半導体プロセスで加工された金型を用いて、樹脂を射出成形して作製される。これにより、反射防止構造を備えるレンズ鏡筒を安価でかつ大量に製造することができる。この際、光吸収部材またはレンズ鏡筒の材料となる樹脂に、黒色塗料等を含有させることにより、光吸収効果をさらに高めることができる。
【００３３】
なお、反射防止構造体として構造単位が円錐形状の構造体を用いたが、必ずしもこのような形状の構造体に限定されるものではない。例えば構造単位が正六角錐形状や、四角錐形状などの角錐形状の構造体であってもよい。また、かかる構造単位の形状は必ずしも錐状に限定されるものでもなく、円柱形状や角柱形状などの柱状であっても、先端が丸くなっている釣鐘状であっても、円錐台形状や角錐台形状などの錐台状であってもよい。また、各構造単位は厳密な幾何学的な形状である必要はなく、実質的に錐状、柱状、釣鐘状、錐台状などであればよい。また反射防止構造体は、少なくとも、入射光の波長よりも小さいピッチで形成されていればよい。
【００３４】
図４は、実施の形態１に係るレンズ鏡筒に含まれる別のズームレンズ系の配置を示す図である。図４に示すズームレンズ系は、図１のズームレンズ系と異なり、物体側から順に、正のパワーを有する第１レンズ群Ｇ１と、負のパワーを有する第２レンズ群Ｇ２と、絞りＡと、正のパワーを有する第３レンズ群Ｇ３と、正のパワーを有する第４レンズ群Ｇ４とを中心に構成される。本実施の形態に係るレンズ鏡筒は、光軸に沿って各レンズ群を移動させて、相対的な距離を変化させることにより、変倍を行う。
【００３５】
第１レンズ群Ｇ１は、物体側より順に、凹のメニスカスレンズＬ１１と凸レンズＬ１２との接合レンズ及び正のメニスカスレンズＬ１３からなる。第２レンズ群Ｇ２は、物体側より順に、負のメニスカスレンズＬ２１と、像側に凹面を向けた負レンズＬ２２と、凹のメニスカスレンズＬ２３と、両凸の正レンズと凹のメニスカスレンズとの接合レンズＬ２４とからなる。第３レンズ群Ｇ３は、物体側に凸の正レンズＬ３１と、空気間隔を介して、物体側に凸の正レンズと凹メニスカスレンズとの接合レンズＬ３２とからなる。第４レンズ群Ｇ４は、物体側より、両凸レンズと両凹レンズと両凸レンズとの接合レンズからなる。
【００３６】
図４に示すレンズ鏡筒は、図１のレンズ鏡筒と異なり、第３レンズ群に空気間隔に対応する範囲の鏡筒内周面に、反射防止構造体１を設けている。反射防止構造体１は、不要光が反射するのを充分に防止し、不要光を吸収することができる。これにより、レンズ群に入射する軸外光が、鏡筒内周面で反射することを防止し、不要光が撮像面に到達することを防止することができる。
【００３７】
このように、本実施の形態に係るレンズ鏡筒は、絞りに隣接して配置されるレンズ群の位置に対応する範囲の鏡筒内周面に反射防止構造体を備える。これにより、本実施の形態に係るレンズ鏡筒は、鏡筒内周面で不要光が反射するのを充分に防止し、かつ入射した不要光を実質的に完全に吸収することが可能である。したがって、光学系により形成される被写体像の画質の劣化を抑制するレンズ鏡筒を提供することができる。
【００３８】
また、レンズ鏡筒と反射防止構造体とは一体成形することができるので、黒色塗料等が塗布された光吸収部材を用いた場合と比べて、低コスト化が可能となり、かつ高い反射防止効果を有するレンズ鏡筒を提供することができる。
【００３９】
なお、本実施の形態に係るレンズ鏡筒は、レンズ群の空気間隔に対応する範囲の鏡筒内周面に反射防止構造体を備えたが、これに限られない。例えば、図５（ａ）に示すように、軸外光が入射する保持部材に反射防止構造体を形成してもよい。また、（ｂ）に示すように、レンズと保持部材とが接触する部位に反射防止構造体を形成してもよい。
【００４０】
（実施の形態２）
図６および図７は、実施の形態２に係るレンズ鏡筒を示す概略図である。本実施の形態に係るレンズ鏡筒のレンズ構成は、実施の形態１とほぼ等しい構成であるが、以下の点で異なる。すなわち、図６に示すレンズ鏡筒は、広角端において第１レンズ群Ｇ１と第２レンズ群Ｇ２との間隔に対応する範囲の鏡筒内周面に反射防止構造体が形成される点で異なる。また、図７に示すレンズ鏡筒は第２レンズ群Ｇ２と第３レンズ群Ｇ３との間隔に対応する範囲の鏡筒内周面に、反射防止構造体が形成される。なお、図７には反射防止構造体が形成される箇所を含むレンズ鏡筒の一部を記載している。
【００４１】
図６に示すように、ズームレンズの広角端において、第１レンズ群と第２レンズ群との有効径の差が大きい場合、結像に寄与しない軸外光は、レンズ鏡筒の内周面に到達する。そのため、入射した不要光がレンズ鏡筒の内周面で反射した場合、ゴーストやフレアが発生し、画質を劣化させる。そこで、不要光が入射する第１レンズ群Ｇ１と第２レンズ群Ｇ２との間隔に対応する範囲の鏡筒内周面に反射防止構造体を形成することにより、不要光を鏡筒内周面で吸収し、ゴーストやフレアの発生を防止することができる。同様に、図６に示すように、広角端において、第２レンズ群Ｇ２と第３レンズ群Ｇ３との間隔に対応する範囲の鏡筒内周面に反射防止構造体を形成することにより、不要光を鏡筒内周面で吸収することができる。
【００４２】
このように、本実施の形態に係るレンズ鏡筒は、鏡筒内周面に反射防止構造体が形成されるので、第１レンズ群と第２レンズ群との有効径の差が大きいために、鏡筒内周面に入射する軸外光の反射を防止することができる。これにより、ズームレンズの広角端においても、不要光が撮像面に到達することを防止することができる。したがって、本実施の形態に係るレンズ鏡筒は、広角端においても、ゴーストやフレアの発生を防止し、形成される被写体像の画質の劣化を防止することができる。
【００４３】
（実施の形態３）
図８は、実施の形態２に係るデジタルスチルカメラ５０の構成を示す概略図である。デジタルスチルカメラ５０は、実施の形態１とほぼ等しい構成からなるレンズ鏡筒と、筐体５５と、表示部５４とを中心に構成される。実施の形態１と同様に、レンズ鏡筒は、各レンズ群を光軸方向に移動させることにより変倍を行う。
【００４４】
レンズ鏡筒は、物体側より順に、第１レンズ群Ｇ１と、絞りＡと、第２レンズ群Ｇ２と、第３レンズ群Ｇ３と、撮像素子５３とを備える。各レンズ群は、保持部材により保持される。またレンズ鏡筒は、光軸を中心軸として、移動筒５７と円筒カム筒５８と主筒５６とを備える。主筒５６は、光軸を中心軸とし、光軸と平行な方向に延びた円筒形状である。円筒カム筒５８は、主筒５６の内周側に構成され、光軸を中心軸とする円筒形状であり、図示しないカム溝が形成されている。また、円筒カム筒５８は、モータの駆動力により回転可能である。移動筒５７は、円筒カム筒５８の内周側に構成され、光軸を中心軸とする円筒形状である。移動筒５７は、円筒カム筒の回転に伴い、光軸方向に移動する。
【００４５】
撮像素子５３は、ＣＣＤ（Ｃｈａｒｇｅ  Ｃｏｕｐｌｅｄ  Ｄｅｖｉｃｅ）であり、光学系により形成される光学的な像を電気的な信号に変換する。なお、撮像素子５３は、ＭＯＳイメージセンサでもよい。ＭＯＳイメージセンサは、ＣＭＯＳ（Ｃｏｍｐｌｅｍｅｎｔａｒｙ  Ｍｅｔａｌ−Ｏｘｉｄｅ  Ｓｅｍｉｃｏｎｄｕｃｔｏｒ）を含む。
【００４６】
表示部５４は、液晶モニタからなり、撮像素子５３により変換された画像信号を可視画像として表示する。表示部５４は、筐体５５の被写体側に設置される。
【００４７】
レンズ群に入射する軸外光は、第２レンズ群の空気間隔に対応する範囲の鏡筒内周面で反射される。反射された光は、迷光となって撮像面Ｓに入射し、フレアやゴーストを発生させる。そのため、表示部５４に表示される撮影画像の画質が劣化するおそれがある。そこで、本実施の形態に係るデジタルカメラは、第２レンズ群の空気間隔に対応する範囲の円筒カム筒５８の内周面に反射防止構造体６０を備えている。反射防止構造体６０の構造および作用・効果は、実施の形態１で示したものと同様である。
【００４８】
このように、本実施の形態に係るデジタルカメラは、不要光が入射する鏡筒内周面に、反射防止構造体を備えるので、レンズ群の空気間隔での界面で、フレアやゴーストの原因となる不要光が反射するのを充分に防止し、かつ入射した不要光を実質的に完全に吸収することが可能である。したがって、撮影画像の画質の劣化が抑制されたデジタルカメラを提供することができる。
【００４９】
なお、本実施の形態に係るデジタルカメラにおけるレンズ鏡筒は、実施の形態１のレンズ鏡筒を用いたが、これに限られない。実施の形態２に記載のレンズ鏡筒を用いても同様の効果を得ることができる。これにより、ズームレンズの広角端においても、撮影画像の画質の劣化が抑制されたデジタルカメラを提供することができる。
【００５０】
なお、本実施の形態に係るカメラは、静止画を対象とするデジタルカメラに用いられたが、これに限られない。カメラは、動画を対象とするデジタルビデオカメラでもよい。これにより、解像度の高い動画に対しても、不要光による画質の劣化を防止することができる。
【００５１】
なお、実施の形態１ないし３に含まれるレンズ鏡筒は、円筒形状としたが、これに限られない。角型やその他の形状を含むレンズ鏡筒に反射防止構造体を備えても同様の効果を得ることができる。
【産業上の利用可能性】
【００５２】
本発明のレンズ鏡筒およびデジタルカメラは、ＰＤＡ（Ｐｅｒｓｏｎａｌ  Ｄｉｇｉｔａｌ  Ａｓｓｉｓｔａｎｃｅ）、監視カメラやＷｅｂカメラ、車載カメラなどに適応することができ、特に高画質の撮影画像が要望されるデジタルビデオカメラ、カメラ機能つきの携帯電話端末に好適である。
【図面の簡単な説明】
【００５３】
【図１】実施の形態１に係るレンズ鏡筒に含まれるズームレンズ系の配置を示す図
【図２】実施の形態１に係るレンズ鏡筒の第２レンズ群の概略拡大図
【図３】反射防止構造体の概略拡大図
【図４】実施の形態１に係るレンズ鏡筒に含まれるズームレンズ系の配置を示す図
【図５】実施の形態１に係るレンズ鏡筒において、反射防止構造体の形成箇所の一例を示す図
【図６】実施の形態２に係るレンズ鏡筒を示す概略図
【図７】実施の形態２に係るレンズ鏡筒を示す概略図
【図８】実施の形態３に係るデジタルスチルカメラの構成を示す概略図
【図９】従来の光吸収部材を備えたレンズ鏡筒を示す概略図
【符号の説明】
【００５４】
１  反射防止構造体
５０  デジタルスチルカメラ
５３  撮像素子
５４  表示部
５５  筐体
５６  主筒
５７  移動筒
５８  円筒カム筒
６０  反射防止構造体
Ｇ１  第１レンズ群
Ｇ２  第２レンズ群
Ｇ３  第３レンズ群
Ｇ４  第４レンズ群
Ａ  絞り
Ｓ  撮像面
【図１】
2006293093.tif 000003
【図２】
2006293093.tif 000004
【図３】
2006293093.tif 000005
【図４】
2006293093.tif 000006
【図５】
2006293093.tif 000007
【図６】
2006293093.tif 000008
【図７】
2006293093.tif 000009
【図８】
2006293093.tif 000010
【図９】
2006293093.tif 000011